(57)【特許請求の範囲】
【請求項１】
内容物として流動体が充填されるパウチに装着されるスパウトであって、
内容物の流路が形成された本体部と、前記パウチへの内容物の流入を許容した状態で、前記パウチからの内容物の流出を阻止するように、前記流路を閉塞する、フィルムによって形成された流路閉塞体とを備え、
前記本体部におけるパウチ側の開口端には、開口を分断するリブが設けられており、
前記リブには、前記流路閉塞体が、その外縁部が開口の外側に張り出すような状態で貼着されており、
内容物が充填された前記パウチを押圧することによって前記パウチの内圧を高めると、前記流路閉塞体における前記リブの外側部分の基端部側が変形して前記流路内に入り込み、前記流路閉塞体における前記リブの外側部分の先端部側と前記流路との間に空間が形成されるようになっていることを特徴とするスパウト。
【請求項２】
内容物として流動体が充填されるパウチに装着されるスパウトであって、
内容物の流路が形成された本体部と、前記パウチへの内容物の流入を許容した状態で、前記パウチからの内容物の流出を阻止するように、前記流路を閉塞する、フィルムによって形成された流路閉塞体とを備え、
前記本体部におけるパウチ側の開口端の端面には、前記流路閉塞体が、その外縁部が開口の外側に張り出すような状態で、その外縁部の複数箇所で部分的に貼着されており、
内容物が充填された前記パウチを押圧することによって前記パウチの内圧を高めると、前記流路閉塞体における隣り合う貼着部を結ぶ線の外側部分の基端部側が変形して前記流路内に入り込み、前記流路閉塞体における隣り合う貼着部を結ぶ線の外側部分の先端部側と前記流路との間に空間が形成されるようになっていることを特徴とするスパウト。
【請求項３】
内容物として流動体が充填されるパウチに装着されるスパウトであって、
内容物の流路が形成された本体部と、前記パウチへの内容物の流入を許容した状態で、前記パウチからの内容物の流出を阻止するように、前記本体部におけるパウチ側の開口端において、外縁部が開口の外側に張り出すような状態で前記流路を閉塞する、フィルムによって形成された流路閉塞体とを備え、
前記流路閉塞体には、開口の外側に、開口縁に沿って延びる複数の切目が形成されており、
前記流路閉塞体は、前記切目の内側縁部をパウチ側の開口端の端面から離反可能に、前記本体部におけるパウチ側の開口端の端面に貼着されており、
内容物が充填された前記パウチを押圧することによって前記パウチの内圧を高めると、前記流路閉塞体における前記切目の内側の舌片部分の基端部側が変形して前記流路内に入り込み、前記流路閉塞体における前記切目の内側の前記舌片部分の先端部側と前記流路との間に空間が形成されるようになっていることを特徴とするスパウト。
【請求項４】
請求項１、２または３に記載のスパウトがパウチに装着されたスパウト付きパウチ容器。
【発明の詳細な説明】
【技術分野】
【０００１】
この発明は、内容物として流動体が充填されるパウチに装着されるスパウト及びそのスパウトがパウチに装着されたスパウト付きパウチ容器に関する。
【背景技術】
【０００２】
内容物として流動体が充填されるスパウト付きパウチ容器としては、例えば、図１１に示すようなものがある。このスパウト付きパウチ容器５０は、同図に示すように、フレキシブルシートによって袋状に形成されたボトムガセットタイプのパウチ５１と、このパウチ５１の上縁部に装着された、注口や飲口となる口部をスクリューキャップ５３によって開閉することができるスパウト５２とを備えており、流動体である内容物をパウチ５１に充填した状態で自立させることができるようになっている。
【０００３】
ところで、こういったスパウト付きパウチ容器５０に採用されているスパウト５２は、通常、内容物の流路が形成されているだけなので、スクリューキャップ５３を外した状態で、内容物が充填されたスパウト付きパウチ容器５０を、誤って、倒してしまうと、パウチ５１に充填されている内容物がスパウト５２から簡単にこぼれ出てしまうという問題がある。
【０００４】
そこで、図１２（ａ）、（ｂ）に示すように、シリコンゴム等によって形成された、中央部に十字の切目ｇｌを有する弾性変形可能な流路閉塞体５２ｂによって、スパウト５２Ａの流路ｆｒを閉塞しておくことが提案されている。このようなスパウト５２Ａを装着したスパウト付きパウチ容器では、スパウト５２Ａからスクリューキャップ５３を外したスパウト付きパウチ容器を倒しても、内容物がスパウト５２Ａからこぼれ出てしまうことはなく、内容物が充填されたパウチ５１を押圧することによってパウチ５１の内圧を高めると、同図（ａ）、（ｂ）に二点鎖線で示すように、流路ｆｒを閉塞している流路閉塞体５２ｂの切目ｇｌ部分が弾性変形して、流路閉塞体５２ｂに開口が形成されるので、内容物を流出させることができる。
【０００５】
【特許文献１】特開２００４−５９０７１号公報
【発明の開示】
【発明が解決しようとする課題】
【０００６】
ところで、上述したように、スパウトがパウチの上縁部分に装着されるスパウト付きパウチ容器では、スパウトをパウチに装着した後、スパウトから内容物を充填することになるが、スパウト５２Ａのように、流路ｆｒを閉塞する流路閉塞体５２ｂを取り付けると、スパウト５２Ａから内容物を充填することができなくなるといった新たな問題が発生することになる。
【０００７】
そこで、この発明の課題は、内容物として流動体が充填されるパウチに装着されるスパウトであって、パウチが倒れても口部から内容物がこぼれ出ることがなく、しかも、口部から内容物を充填することができるスパウト及びそういったスパウトがパウチに装着されたスパウト付きパウチ容器を提供することにある。
【課題を解決するための手段】
【０００９】
上記の課題を解決するため、請求項１に係る発明は、内容物として流動体が充填されるパウチに装着されるスパウトであって、内容物の流路が形成された本体部と、前記パウチへの内容物の流入を許容した状態で、前記パウチからの内容物の流出を阻止するように、前記流路を閉塞する、フィルムによって形成された流路閉塞体とを備え、前記本体部におけるパウチ側の開口端には、開口を分断するリブが設けられており、前記リブには、前記流路閉塞体が、その外縁部が開口の外側に張り出すような状態で貼着されており、内容物が充填された前記パウチを押圧することによって前記パウチの内圧を高めると、前記流路閉塞体における前記リブの外側部分の基端部側が変形して前記流路内に入り込み、前記流路閉塞体における前記リブの外側部分の先端部側と前記流路との間に空間が形成されるようになっていることを特徴とするスパウトを提供するものである。
【００１０】
上記の課題を解決するため、請求項２に係る発明は、内容物として流動体が充填されるパウチに装着されるスパウトであって、内容物の流路が形成された本体部と、前記パウチへの内容物の流入を許容した状態で、前記パウチからの内容物の流出を阻止するように、前記流路を閉塞する、フィルムによって形成された流路閉塞体とを備え、前記本体部におけるパウチ側の開口端の端面には、前記流路閉塞体が、その外縁部が開口の外側に張り出すような状態で、その外縁部の複数箇所で部分的に貼着されており、内容物が充填された前記パウチを押圧することによって前記パウチの内圧を高めると、前記流路閉塞体における隣り合う貼着部を結ぶ線の外側部分の基端部側が変形して前記流路内に入り込み、前記流路閉塞体における隣り合う貼着部を結ぶ線の外側部分の先端部側と前記流路との間に空間が形成されるようになっていることを特徴とするスパウトを提供するものである。
【００１１】
上記の課題を解決するため、請求項３に係る発明は、内容物として流動体が充填されるパウチに装着されるスパウトであって、内容物の流路が形成された本体部と、前記パウチへの内容物の流入を許容した状態で、前記パウチからの内容物の流出を阻止するように、前記本体部におけるパウチ側の開口端において、外縁部が開口の外側に張り出すような状態で前記流路を閉塞する、フィルムによって形成された流路閉塞体とを備え、前記流路閉塞体には、開口の外側に、開口縁に沿って延びる複数の切目が形成されており、前記流路閉塞体は、前記切目の内側縁部をパウチ側の開口端の端面から離反可能に、前記本体部におけるパウチ側の開口端の端面に貼着されており、内容物が充填された前記パウチを押圧することによって前記パウチの内圧を高めると、前記流路閉塞体における前記切目の内側の舌片部分の基端部側が変形して前記流路内に入り込み、前記流路閉塞体における前記切目の内側の前記舌片部分の先端部側と前記流路との間に空間が形成されるようになっていることを特徴とするスパウトを提供するものである。
【００１３】
上記の課題を解決するため、請求項４にかかる発明は、請求項１、２または３に記載のスパウトがパウチに装着されたスパウト付きパウチ容器を提供するものである。
【発明の効果】
【００１５】
以上のように、請求項１に係る発明のスパウトは、本体部におけるパウチ側の開口端に設けられたリブに、外縁部が開口の外側に張り出すような状態で、フィルムによって形成された流路閉塞体が貼着されているので、このスパウトがパウチに装着されたスパウト付きパウチ容器は、倒れてもスパウトの口部から内容物がこぼれ出ることがなく、しかも、流路閉塞体におけるリブの外側部分はパウチの内側に容易に開いて本体部に形成された流路が開放されるので、内容物をスパウトの口部から充填することができる。また、内容物が充填されたパウチを押圧することによってパウチの内圧を高めると、流路閉塞体におけるリブの外側部分の基端部側が変形して流路内に入り込み、これに伴って、流路閉塞体におけるリブの外側部分の先端部側と流路との間に空間が形成されるので、内容物が充填されたパウチを押圧することによって、内容物をスパウトから流出させることができる。
【００１６】
また、請求項２に係る発明のスパウトは、本体部におけるパウチ側の開口端の端面に、フィルムによって形成された流路閉塞体が、その外縁部が開口の外側に張り出すような状態で、その外縁部の複数箇所で部分的に貼着されているので、このスパウトがパウチに装着されたスパウト付きパウチ容器は、倒れてもスパウトの口部から内容物がこぼれ出ることがなく、しかも、流路閉塞体における隣り合う貼着部を結ぶ線の外側部分はパウチの内側に容易に開いて本体部に形成された流路が開放されるので、内容物をスパウトの口部から充填することができる。また、内容物が充填されたパウチを押圧することによってパウチの内圧を高めると、流路閉塞体における隣り合う貼着部を結ぶ線の外側部分の基端部側が変形して流路内に入り込み、これに伴って、流路閉塞体における隣り合う貼着部を結ぶ線の外側部分の先端部側と流路との間に空間が形成されるので、内容物が充填されたパウチを押圧することによって、内容物をスパウトから流出させることができる。
【００１７】
また、請求項３に係る発明のスパウトは、本体部におけるパウチ側の開口端の端面に、フィルムによって形成された、開口の外側に、開口縁に沿って延びる複数の切目を有する流路閉塞体が、切目の内側縁部をパウチ側の開口端の端面から離反可能に貼着されているので、このスパウトがパウチに装着されたスパウト付きパウチ容器は、倒れてもスパウトの口部から内容物がこぼれ出ることがなく、しかも、流路閉塞体における切目の内側の舌片部分はパウチの内側に容易に開いて本体部に形成された流路が開放されるので、内容物をスパウトの口部から充填することができる。また、内容物が充填されたパウチを押圧することによってパウチの内圧を高めると、流路閉塞体における切目の内側の舌片部分の基端部側が変形して流路内に入り込み、これに伴って、流路閉塞体における切目の内側の舌片部分の先端部側と流路との間に空間が形成されるので、内容物が充填されたパウチを押圧することによって、内容物をスパウトから流出させることができる。
【発明を実施するための最良の形態】
【００１９】
以下、実施の形態について図面を参照して説明する。図１は、ポンプ式のボトル容器に詰め替えるためのシャンプー（以下、内容物という。）が充填されるスパウト付きパウチ容器１を示しており、このスパウト付きパウチ容器１は、同図（ａ）、（ｂ）に示すように、ポリエチレンやポリプロピレン等の熱接着性を有する合成樹脂フィルムの外面に、ガスバリア性シート等を積層した二軸延伸ポリエステルフィルム等をラミネートした厚さ１００〜２００μｍ程度の柔軟性シートによって形成された、扁平状態に折り畳み可能なパウチ１０と、このパウチ１０に取り付けられる熱接着性樹脂によって形成されたスパウト２０とから構成されている。
【００２０】
前記パウチ１０は、同図（ｂ）に示すように、表裏一対の外装シート１２、１３と、この外装シート１２、１３の下端部において両者の間に折り込まれるガセットシート１５とから構成されており、外装シート１２、１３の上縁部及び両側縁部が相互にヒートシールされることによって胴部１１が形成されると共に、外装シート１２、１３間に折り込まれたガセットシート１５の周縁を外装シート１２、１３の内面にヒートシールすることによって胴部１１の下端開口部を閉塞するボトムガセット部１４が形成されている。
【００２１】
前記スパウト２０は、ポリエチレンやポリプロピレン等の熱接着性樹脂の成形物からなり、図１（ｂ）及び図２（ａ）〜（ｃ）に示すように、外装シート１２、１３の上端縁に挟み込まれた状態で、外装シート１２、１３にヒートシールされる平面舟形状の装着部２２及びこの装着部２２に連設された円筒状の口部２３からなる、内容物の流路２１ａが形成された本体部２１と、この本体部２１に形成された流路２１ａを閉塞する、熱接着性を有する厚さ２０〜１００μｍのポリエチレンやポリプロピレンの単層フィルムやこれらの熱接着性樹脂を積層した複層フィルムによって形成された流路閉塞体２５とを備えており、本体部２１の口部２３は、スクリューキャップ２６によって開閉することができるようになっている。
【００２２】
前記本体部２１における流路２１ａが開放される装着部２２側の開口端には、その開口２２ａの内周角部が全周にわたって面取りされたテーパ面２２ｂが形成されており、そのテーパ面２２ｂには、開口２２ａを装着部２２の短手方向（パウチ１０の厚み方向）に分断するリブ２４が連設されている。
【００２３】
前記流路閉塞体２５は、図２（ｃ）に示すように、外径が、装着部２２側の開口２２ａの内径より０．２ｍｍ程度大きい円形状に形成されており、その外縁部が全周にわたって開口２２ａの外側に張り出すような状態で、リブ２４にヒートシールされている。なお、同図（ｃ）における網掛け表示部分が流路閉塞体２５のヒートシール部分を示している。
【００２４】
以上のように、このスパウト付きパウチ容器１は、薄肉フィルムによって形成された流路閉塞体２５が、スパウト２０の本体部２１における装着部２２の開口端面に重ね合わせるように、外縁部が開口２２ａの外側に張り出すような状態で、開口２２ａを分断するリブ２４に貼着されているので、図３（ａ）に示すように、流路閉塞体２５におけるリブ２４の外側部分がパウチ１０の内側に開くことができ、これによって、本体部２１に形成された流路２１ａが容易に開放されるので、このスパウト付きパウチ容器１では、内容物を本体部２１の口部２３から充填することが可能となる。
【００２５】
また、パウチ１０に内容物が充填されたスパウト付きパウチ容器１を、スクリューキャップ２６を外した状態で、誤って倒したとしても、流路閉塞体２５によって本体部２１における装着部２２側の開口２２ａが閉塞されるので、スパウト２０の口部２３から内容物が容易にこぼれ出ることがない。
【００２６】
一方、内容物が充填されたパウチ１０を押圧することによってパウチ１０の内圧を高めると、図３（ｂ）に示すように、流路閉塞体２５におけるリブ２４の外側部分が変形して流路２１ａ内に入り込み、これに伴って、流路閉塞体２５におけるリブ２４の外側部分の先端部と流路２１ａとの間に空間が形成されるので、内容物が充填されたパウチ１０を押圧することによって、内容物をスパウト２０から流出させることができる。
【００２７】
また、パウチ１０の押圧を解除すると、パウチ１０の内圧が低下し、それに伴って、流路２１ａ内に入り込んだ流路閉塞体２５が、テーパ面２２ｂに沿って、元の状態、即ち、流路閉塞体２５が開口２２ａを閉塞した状態に復元されるので、流路２１ａが開放された状態に保持されることはなく、転倒に伴う内容物の流出が阻止される。
【００２９】
また、上述した実施形態では、スパウト２０の本体部２１における装着部２２側の開口２２ａにリブ２４を設け、このリブ２４に流路閉塞体２５をヒートシールしているが、これに限定されるものではなく、例えば、図４（ａ）〜（ｃ）に示すように、装着部２２側の開口２２ａにリブが設けられていない本体部２１Ａを採用し、その本体部２１Ａにおける装着部２２側の開口２２ａより一回り大きい円形の流路閉塞体２５Ａに、装着部２２の長手方向（パウチ１０の幅方向）に張り出す一対の凸片２５ａ、２５ａを設け、流路閉塞体２５Ａの外縁部が開口２２ａの外側に張り出すような状態で、凸片２５ａ、２５ａ部分を装着部２２の開口端面にヒートシールしたり、図５に示すように、開口２２ａの外側にある程度の領域を確保することができるのであれば、開口２２ａより一回り大きい円形の流路閉塞体２５Ｂを、その外縁部が開口２２ａの外側に張り出すような状態で、流路閉塞体２５Ｂにおける装着部２２の長手方向（パウチ１０の幅方向）の両端部分を本体部２１Ａにおける装着部２２の開口端面にポイントシールするようにしても、同様の効果を得ることができる。なお、図４（ｃ）及び図５における網掛け表示部分が流路閉塞体２５Ａ、２５Ｂのヒートシール部分を示している。
【００３０】
また、開口２２ａの外側にある程度の領域を確保することができる場合は、図６に示すように、開口２２ａより一回り大きい円形の流路閉塞体２５Ｃを、その全周にわたって装着部２２の開口端面にヒートシールし、開口２２ａの外側における非シール領域に、開口縁に沿って延びる一対の切目２５ｂ、２５ｂを形成することによって、装着部２２の開口端面から離反可能な舌片部分２５ｃ、２５ｃを形成するようにしても、同様の効果を得ることができる。なお、図６における網掛け表示部分が流路閉塞体２５Ｃのヒートシール部分を示している。
【００３１】
また、図７〜図９に示す流路閉塞体２５Ｄ、２５Ｅ、２５Ｆのように、上述した流路閉塞体２５、２５Ａ、２５Ｂに、装着部２２の短手方向（パウチ１０の厚み方向）に延びる一対の切目２５ｄ、２５ｄを形成したり、図１０に示す流路閉塞体２５Ｇのように、上述した流路閉塞体２５Ｃの舌片部分２５ｃ、２５ｃに同様の切目２５ｅ、２５ｅを形成することも可能である。
【００３６】
また、上述した実施形態では、パウチがボトムガセットタイプのものについて、説明したが、本発明のスパウトは、ボトムガセットタイプ以外の種々のパウチに装着することができることは言うまでもない。
【図面の簡単な説明】
【００３７】
【図１】（ａ）はこの発明にかかるスパウト付きパウチ容器の一実施形態を示す斜視図、（ｂ）は同上のスパウト付きパウチ容器を扁平に折り畳んだ状態を示す正面図である。
【図２】（ａ）、（ｂ）は同上のスパウト付きパウチ容器に採用されている本発明のスパウトを示す断面図、（ｃ）は同上のスパウトを示す底面図である。
【図３】（ａ）、（ｂ）は同上のスパウトにおける流路閉塞体の動きを説明するための説明図である。
【図４】（ａ）、（ｂ）は他の実施形態であるスパウトを示す断面図、（ｃ）は同上のスパウトを示す底面図である。
【図５】他の実施形態であるスパウトを示す底面図である。
【図６】他の実施形態であるスパウトを示す底面図である。
【図７】他の実施形態であるスパウトを示す底面図である。
【図８】他の実施形態であるスパウトを示す底面図である。
【図９】他の実施形態であるスパウトを示す底面図である。
【図１０】他の実施形態であるスパウトを示す底面図である。
【図１１】一般的なスパウト付きパウチ容器を扁平に折り畳んだ状態を示す正面図である。
【図１２】（ａ）は改良されたスパウトがパウチに装着されたスパウト付きパウチ容器を示す縦断面図、（ｂ）同上のスパウト付きパウチ容器を示す横断面図である。
【符号の説明】
【００３８】
１  スパウト付きパウチ容器
１０  パウチ
１１  胴部
１２、１３  外装シート
１４  ボトムガセット部
１５  ガセットシート
２０  スパウト
２１、２１Ａ  本体部
２１ａ  流路
２２  装着部
２２ａ  開口
２２ｂ  テーパ面
２３  口部
２４  リブ
２５、２５Ａ、２５Ｂ、２５Ｃ、２５Ｄ、２５Ｅ、２５Ｆ、２５Ｇ  流路閉塞体
２５ａ  凸片
２５ｂ  切目
２５ｃ  舌片部分
２５ｄ  切目
２５ｅ  切目
２６  スクリューキャップ
【図１】
0005138173.tif 000002
【図２】
0005138173.tif 000003
【図３】
0005138173.tif 000004
【図４】
0005138173.tif 000005
【図５】
0005138173.tif 000006
【図６】
0005138173.tif 000007
【図７】
0005138173.tif 000008
【図８】
0005138173.tif 000009
【図９】
0005138173.tif 000010
【図１０】
0005138173.tif 000011
【図１１】
0005138173.tif 000012
【図１２】
0005138173.tif 000013